(57)【要約】      （修正有）【課題】  情報を表示する表示器を有する表示装置において、両面テープを使用せずに、また、削り滓を出さずに、表示器をホルダに固定可能な構造を提供する。【解決手段】  保持片５２の突起部５２１を押して保持片５２および係合片５１を変形させ、その状態で表示器２を挿入向きＡに移動させて表示器２を保持片５２に当接させる。このとき、係合片５１の爪部５１１が外側に拡がっているので、表示器２は爪部５１１に当たらない。次に、突起部５２１を押す力を緩めると、係合片５１が原位置側に戻り、爪部５１１が表示器２の上端面に係合する。同時に、保持片５２が原位置側に戻り、保持片５２の復元力により表示器２が爪部５１１に押し付けられる。このように、係合片５１と保持片５２との間に表示器２を挟持するため、両面テープが不要である。【選択図】        図３
2006213263.tif 000002
【特許請求の範囲】
【請求項１】
情報を表示する表示器（２）と、前記表示器（２）を保持するホルダ（５）とを備え、
前記ホルダ（５）は、先端に爪部（５１１）が形成されるとともに弾性変形可能な係合片（５１）を有し、
前記表示器（２）を所定の向き（Ａ）に移動させて前記表示器（２）を前記ホルダ（５）に組み付けることにより、前記爪部（５１１）と前記表示器（２）とが係合して前記所定の向き（Ａ）と反対向きへの前記表示器（２）の移動を規制する表示装置において、
前記ホルダ（５）は、前記爪部（５１１）との間に前記表示器（２）を挟持する保持片（５２）を有し、
前記保持片（５２）は、外力を受けて前記所定の向き（Ａ）に弾性変形するとともに、前記外力が取り除かれたときには復元力により前記表示器（２）を前記爪部（５１１）に押し付ける位置まで戻り、
さらに、前記保持片（５２）が外力を受けて変形するのに伴って、前記所定の向き（Ａ）に対して直交する方向で且つ前記表示器（２）から遠ざかる向きに前記係合片（５１）が変形するように、前記係合片（５１）と前記保持片（５２）が構成されていることを特徴とする表示装置。
【請求項２】
前記保持片（５２）における前記外力が作用する部位（５２１）は、前記所定の向き（Ａ）に見たときに、前記係合片（５１）および前記表示器（２）と重ならない位置にあることを特徴とする請求項１に記載の表示装置。
【発明の詳細な説明】
【技術分野】
【０００１】
本発明は、情報を表示する表示器を有する表示装置に関するもので、例えば自動車用空調装置の操作パネルに好適である。
【背景技術】
【０００２】
従来、表示器はこれを保持するホルダに対し、爪部との係合により固定されたり、或いは両面テープで固定されている（例えば、特許文献１参照）。
【特許文献１】特開平１１−２６１２５３号公報
【発明の開示】
【発明が解決しようとする課題】
【０００３】
しかしながら、前者の固定方法は、表示器を組付ける際、表示器によって爪部を押し拡げながらホルダに挿入するため、表示器が爪部にこすれて削れ滓が発生するという問題があった。
【０００４】
一方、後者の固定方法は、両面テープを使用するためコスト高になるという問題があった。
【０００５】
本発明は上記点に鑑みて、両面テープを使用せずに、また、削り滓を出さずに、表示器をホルダに固定可能にすることを目的とする。
【課題を解決するための手段】
【０００６】
上記目的を達成するため、請求項１に記載の発明では、情報を表示する表示器（２）と、表示器（２）を保持するホルダ（５）とを備え、ホルダ（５）は、先端に爪部（５１１）が形成されるとともに弾性変形可能な係合片（５１）を有し、表示器（２）を所定の向き（Ａ）に移動させて表示器（２）をホルダ（５）に組み付けることにより、爪部（５１１）と表示器（２）とが係合して所定の向き（Ａ）と反対向きへの表示器（２）の移動を規制する表示装置において、ホルダ（５）は、爪部（５１１）との間に表示器（２）を挟持する保持片（５２）を有し、保持片（５２）は、外力を受けて所定の向き（Ａ）に弾性変形するとともに、外力が取り除かれたときには復元力により表示器（２）を爪部（５１１）に押し付ける位置まで戻り、さらに、保持片（５２）が外力を受けて変形するのに伴って、所定の向き（Ａ）に対して直交する方向で且つ表示器（２）から遠ざかる向きに係合片（５１）が変形するように、係合片（５１）と保持片（５２）が構成されていることを特徴とする。
【０００７】
これによると、表示器は爪部と保持片とによって挟持されるため、両面テープを使用せずに表示器をホルダに固定することができる。また、保持片が外力を受けて変形するのに伴って係合片が拡がるため、表示器が爪部にこすれずに表示器をホルダに組み付けることができる。したがって、両面テープを使用せずに、また、削り滓を出さずに、表示器をホルダに固定にすることができる。
【０００８】
さらに、保持片が復元力により表示器を爪部に押し付けるため、組み付け後の表示器のがたつきを防止することができる。
【０００９】
請求項２に記載の発明では、請求項１に記載の表示装置のいて、保持片（５２）における外力が作用する部位（５２１）は、所定の向き（Ａ）に見たときに、係合片（５１）および表示器（２）と重ならない位置にあることを特徴とする。
【００１０】
これによると、保持片に作用する外力によって、所定の向きに対して直交する方向で且つ表示器から遠ざかる向きに係合片を変形させることができる。
【００１１】
なお、上記各手段の括弧内の符号は、後述する実施形態に記載の具体的手段との対応関係を示すものである。
【発明を実施するための最良の形態】
【００１２】
本発明の一実施形態について説明する。図１は一実施形態に係る表示装置を自動車用空調装置の操作パネルに適用した例を示す正面図、図２は表示装置の要部の斜視図、図３（ａ）は表示器が組み付けられる前の状態を示すホルダの断面図、図３（ｂ）は表示器組み付け時の状態を示すホルダの断面図、図３（ｃ）は表示器が組み付けられた後の状態を示すホルダの断面図である。
【００１３】
図１に示すように、自動車用空調装置の操作パネルは、その前面および側面が、樹脂製の前面ケース１によって覆われている。そして、前面ケース１の図示しない取付部をねじ等の取付手段（図示せず）によって車両計器盤（インストルメントパネル）側の部材に固定するようになっている。
【００１４】
前面ケース１には多数の開口部が形成されており、その開口部には、ＶＦＤ（自発光の蛍光表示管）を用いた表示器２が配置されている。表示器２は、車室内設定温度、吹き出しモード等の、空調に関連する情報を表示するようになっている。
【００１５】
前面ケース１の他の開口部には、車室内設定温度を決定するための温度設定ダイヤル３、吹き出しモードを選択するためのモードスイッチノブ４等が配置されている。
【００１６】
図２、図３に示すように、表示器２は樹脂製（例えば、ポリカーボネイト）のホルダ５に保持されるようになっている。そして、表示器２およびホルダ５は前面ケース１の裏面側に配置され、ホルダ５が基板にねじ等の取付手段（図示せず）によって固定される。
【００１７】
ホルダ５は、略４角形の筒形状になっており、表示器２を矢印Ａで示す向き（以下、挿入向きＡという）に移動させて、ホルダ５における２つの開口端の一方側に表示器２を組み付けるようになっている。因みに、挿入向きＡは、ホルダ５における一方の開口端（図２の紙面上側、以下ホルダ一端側という）から他方の開口端（図２の紙面下側、以下ホルダ他端側という）に向かう向きである。
【００１８】
また、ホルダ５における４つの側面のうちの１つには、表示器２を挟持するための２つの係合片５１および１つの保持片５２が形成されている。
【００１９】
係合片５１は、ホルダ５の本体部からホルダ一端側に向かって挿入向きＡと平行に延びており、挿入向きＡに対して直交する方向に容易に変形可能なように薄板状に形成されている。また、係合片５１の先端には、挿入向きＡに対して直交する方向で且つホルダ５の内側に向かって突出する爪部５１１が形成されている。
【００２０】
２つの係合片５１は、その中間部が連結片５３にて連結されている。そして、保持片５２は、挿入向きＡに対して直交する方向で且つホルダ５の内側に向かって、連結片５３から突出している。
【００２１】
保持片５２は、薄板状で且つ略Ｕ字状に形成されており、外力を受けると挿入向きＡに容易に変形可能になっている。保持片５２の自由端には、保持片５２を押しやすくするための突起部５２１が形成されている。突起部５２１は、挿入向きＡに見たときに、係合片５１および表示器２と重ならない位置にある。なお、突起部５２１は、本発明の外力が作用する部位に相当する。
【００２２】
係合片５１の爪部５１１と保持片５２との、挿入向きＡの間隔を隙間Ｃとすると、図３（ａ）に示すように保持片５２に外力が作用していない状態では、隙間Ｃは表示器２の厚さ以下に設定されている。また、保持片５２に外力が作用していない状態では、突起部５２１は、挿入向きＡに見たときに係合片５１および表示器２と重ならない位置にある。
【００２３】
さらに、図３（ｂ）に示すように、保持片５２に外力を加えることにより、隙間Ｃが表示器２の厚さ以上になる状態まで保持片５２を変形させることができるようになっている。
【００２４】
次に、表示器２をホルダ５に装着する手順について説明する。
【００２５】
まず、図３（ｂ）に示すように、突起部５２１を下斜めに向かって押すと、保持片５２が変形して隙間Ｃが表示器２の厚さ以上になる。同時に、爪部５１１が挿入向きＡに対して直交する方向で且つホルダ５の外側に向かって拡がるように、換言すると、爪部５１１が表示器２から遠ざかるように、係合片５１が変形する。
【００２６】
そして、係合片５１が変形した状態で、表示器２を挿入向きＡに移動させて、表示器２の下端面を保持片５２に当接させる。このとき、爪部５１１がホルダ５の外側に拡がっているので、表示器２は爪部５１１に当たらない。
【００２７】
次に、突起部５２１を押す力を緩めると、図３（ｃ）に示すように、係合片５１が原位置側に戻り、爪部５１１が表示器２の上端面に係合する。同時に、保持片５２が原位置側に戻り、保持片５２の復元力により表示器２が爪部５１１に押し付けられる。
【００２８】
以上のようにして、表示器２は爪部５１１と保持片５２とによって挟持されるため、両面テープを使用せずに表示器２をホルダ５に固定することができる。また、保持片５２が外力を受けて変形するのに伴って係合片５１が拡がるため、表示器２が爪部５１１にこすれずに表示器２をホルダ５に組み付けることができる。したがって、両面テープを使用せずに、また、削り滓を出さずに、表示器２をホルダ５に固定にすることができる。
【００２９】
さらに、保持片５２が復元力により表示器２を爪部５１１に押し付けるため、組み付け後の表示器２のがたつきを防止することができる。
【００３０】
さらにまた、突起部５２１は、挿入向きＡに見たときに、係合片５１および表示器２と重ならない位置にあるため、換言すると、突起部５２１は、係合片５１よりも外側に位置するため、突起部５２１を押した際に、爪部５１１が表示器２から遠ざかるように係合片５１を変形させることができる。
【００３１】
（他の実施形態）
上記実施形態では、表示器２としてＶＦＤを用いたが、エレクトロルミネッセンス（ＥＬ）等の自発光タイプの表示器を用いてもよい。
【図面の簡単な説明】
【００３２】
【図１】本発明の一実施形態に係る表示装置を示す正面図である。
【図２】図１の表示装置の要部の斜視図である。
【図３】（ａ）は表示器が組み付けられる前の状態を示すホルダの断面図、（ｂ）は表示器組み付け時の状態を示すホルダの断面図、（ｃ）は表示器が組み付けられた後の状態を示すホルダの断面図である。
【符号の説明】
【００３３】
２…表示器、５…ホルダ、５１…係合片、５２…保持片、５１１…爪部。
【図１】
2006213263.tif 000003
【図２】
2006213263.tif 000004
【図３】
2006213263.tif 000005